(57)【要約】【課題】部品搭載エリア上において電気部品を挿着しない未使用の部品挿着部が生じた場合であっても、そのスペースを有効に活用すること。【解決手段】電気部品Ｄを挿着可能な部品挿着部２５０が部品搭載エリア３００Ｆに露出するようにジョイントブロック２００Ｐをベースフレーム１００に挿着可能に構成し、ベースフレーム１００に挿着可能にジョイントブロック２００Ｐの外周形状と同形状で形成したダミージョイントブロック２００Ｄを備え、該ダミージョイントブロック２００Ｄの内部に、電線を収容する電線収容空間２００ｚを構成し、ベースフレーム１００に挿着したダミージョイントブロック２００Ｄにおける部品搭載エリア３００Ｆに相当する箇所に、電線収容空間２００ｚへ電気部品Ｄの通過を不能とする遮閉部２２０を形成した。【選択図】図１
2015204717.tif 000002
【特許請求の範囲】
【請求項１】
電気部品を挿着する部品挿着部を備えたジョイントブロックと、該ジョイントブロックを挿着するジョイント挿着許容空間を備えたベースフレームとで厚み方向における一方に、前記部品挿着部が配置された部品搭載エリアを構成した電気部品接続ユニットであって、
前記ジョイントブロックの外周形状と同形状で形成したダミージョイントブロックを備え、
該ダミージョイントブロックの内部に、厚み方向の前記部品搭載エリアの側に対して反対側から挿入した電線を収容する電線収容空間を構成し、
前記ジョイント挿着許容空間に挿着した前記ダミージョイントブロックにおける前記部品搭載エリアに相当する箇所に、電気部品を前記部品搭載エリア側から前記電線収容空間へ通過不能に遮閉する遮閉部を形成した
電気部品接続ユニット。
【請求項２】
前記ダミージョイントブロックに、前記電線収容空間を複数の空間に区分けする仕切り壁を形成した
請求項１に記載の電気部品接続ユニット。
【請求項３】
前記電線収容空間を前記仕切り壁で区分けした複数の区分け空間のうち所定の区分け空間を、アース電線を収容するアース線収容空間として構成した
請求項２に記載の電気部品接続ユニット。
【請求項４】
前記ダミージョイントブロックに、前記電線収容空間に収容した電線をガイドする電線ガイド棒を備え、
前記電線ガイド棒を、前記ダミージョイントブロックの厚み方向の前記部品搭載エリアの側に対して反対側から突出して形成した
請求項１乃至３のうちいずれかに記載の電気部品接続ユニット。
【請求項５】
前記電線ガイド棒に電線を固定する電線ガイド棒固定手段を備えた
請求項４に記載の電気部品接続ユニット。
【請求項６】
前記電線ガイド棒を、アース電線の導体と電気的に接続する金属材料で形成したアース棒とした
請求項４、又は５に記載の電気部品接続ユニット。
【請求項７】
電線収容空間に収容した前記電線を前記ダミージョイントブロックに取り付ける電線取付け手段を備えた
請求項１乃至６のうちいずれかに記載の電気部品接続ユニット。
【請求項８】
導体を絶縁被覆で被覆してなる複数の電線の先端側の絶縁被覆を剥離して露出させた導体露出部を束ねた集中ジョイント部を構成し、
前記集中ジョイント部に被冠装着するボンダキャップを備え、
前記電線収容空間を、ボンダキャップを被冠装着した集中ジョイント部を収容可能な大きさで構成した
請求項１乃至７のうちいずれかに記載の電気部品接続ユニット。
【発明の詳細な説明】
【技術分野】
【０００１】
この発明は、例えば、電気部品を挿着可能な車両用の電気接続箱（ジャンクションボックス）などの電気部品接続ユニットに関する。
【背景技術】
【０００２】
従来から自動車には、リレーやヒューズなどの各種電気部品を搭載した電気接続箱が実装されている。
【０００３】
このような電気接続箱には、電気部品を挿着するための部品挿着部が配設された部品搭載エリアが構成されている。  
しかし、部品搭載エリアに搭載する電気部品の仕様や数量は、例えば、車種、車体グレード、ユーザーオプションなどの仕様に応じて異なるため、部品搭載エリアにおける部品挿着部の中には、電気部品が挿着されていない未使用の部品挿着部が残余することもあった。
【０００４】
そうすると、電気接続箱の部品搭載エリアに配設した未使用の部品挿着部に相当するスペースが無駄になり、限られた車両におけるスペースを有効利用することができないという課題があった。  
また、未使用の部品挿着部にゴミなどの異物が侵入するという課題も有していた。
【０００５】
このような課題に対して、通常、用いられる複数の電線の末端が取り付けられる通常電線取付部と、拡張負荷用の電線の端部を取り付ける拡張電線取付部とを備えて構成したジョイントコネクタが下記特許文献１において提案されている。
【０００６】
特許文献１に開示のジョイントコネクタによれば、ユーザーなどの要望により自動車に搭載される電気部品が増加した場合であっても、拡張電線取付部を備えることで、該通常電線取り付け部では賄いきれない拡張負荷用の電線の端部を拡張電線取付部に取り付けることで対応できるとされている。
【０００７】
しかし、特許文献１の「ジョイントコネクタ」は、ユーザなどの要望により自動車に搭載される電気部品の数が増加した際には、拡張電線取付部において電線の端部を取り付けることで対応できるが、逆に、使用する電気部品の数が少ない場合には、拡張電線取付部に電線を接続せずに残余する場合も生じることになる。  
さらに、車種などの仕様によっては、通常電線取付部に設けたコネクタ収容部自体に空きが生じる場合も有し、このような場合、電線を接続せずに余ったスペースが無駄になり有効利用できないという課題を有していた。
【先行技術文献】
【特許文献】
【０００８】
【特許文献１】特開２００６−３４４４６２号公報
【発明の概要】
【発明が解決しようとする課題】
【０００９】
そこでこの発明は、部品搭載エリア上に配設された、電気部品を挿着する部品挿着部のうち、電気部品を挿着しない未使用の部品挿着部が生じた場合であっても、そのスペースを有効に活用することができる電気接続ユニットの提供を目的とする。
【課題を解決するための手段】
【００１０】
本発明は、電気部品を挿着する部品挿着部を備えたジョイントブロックと、該ジョイントブロックを挿着するジョイント挿着許容空間を備えたベースフレームとで厚み方向における一方に、前記部品挿着部が配置された部品搭載エリアを構成した電気部品接続ユニットであって、前記ジョイントブロックの外周形状と同形状で形成したダミージョイントブロックを備え、該ダミージョイントブロックの内部に、厚み方向の前記部品搭載エリアの側に対して反対側から挿入した電線を収容する電線収容空間を構成し、前記ジョイント挿着許容空間に挿着した前記ダミージョイントブロックにおける前記部品搭載エリアに相当する箇所に、電気部品を前記部品搭載エリア側から前記電線収容空間へ通過不能に遮閉する遮閉部を形成したことを特徴とする。
【００１１】
上述した構成によれば、前記ジョイントブロックの外周形状と同形状で形成したダミージョイントブロックの内部に、厚み方向の前記部品搭載エリアの側に対して反対側から挿入した電線を収容する電線収容空間を構成したため、電気部品を挿入されることのない未使用の空間を有効活用することができる。
【００１２】
具体的には、前記厚み方向における前記部品搭載エリアの側に対して反対側から電線の末端部を挿入することができるため、幹線として配索しているワイヤハーネスから分岐する電線が邪魔になることなく収容しておくことができる。
【００１３】
さらに、電線を電線収容空間に収容しておくことで、電線が意に反して他の電線や電気機器に接触するなどして短絡することを防ぎ、電線を、電気的安定性を確保した状態で配索することができる。
【００１４】
また、本発明では、上述したように、前記ジョイント挿着許容空間に挿着可能に前記ジョイントブロックの外周形状と同形状で形成したダミージョイントブロックを備えた構成により、前記部品挿着部にごみなどの異物が侵入したり、電気部品の誤挿入を防止することができる。
【００１５】
詳述すると、電気部品を挿着しない前記部品挿着部を備えた前記ジョイントブロックをジョイント挿着許容空間に挿着したままの場合には、前記部品挿着部にごみなどの異物が侵入したり、電気部品を本来、挿着すべきではない部品挿着部へ誤挿入するおそれが生じるが、前記ジョイントブロックをダミージョイントブロックに取り換えておくことで、前記部品挿着部にごみなどの異物が侵入したり、電気部品の誤挿入を防止することができる。
【００１６】
さらにまた、電気部品を挿着する予定のない前記部品挿着部を備えた前記ジョイントブロックを、未使用であるからといってジョイント挿着許容空間から取り外したままの状態にした場合には、他の前記ジョイントブロックに電気部品を挿着する際に、ジョイントブロックが挿着されていないジョイント挿着許容空間から電気部品などの異物が意に反して落ち込むおそれがあった。
【００１７】
これに対して本発明は、電気部品を挿着する予定のない前記部品挿着部を備えた前記ジョイントブロックをダミージョイントブロックに取り換えておくことが可能となり、前記ジョイントブロックをダミージョイントブロックに取り換えておくことで、そのジョイント挿着許容空間をダミージョイントブロックにおける遮閉部で遮閉しておくことができる。
【００１８】
これにより、ジョイント挿着許容空間に電気部品が落ち込むことや、部品挿着部を通じてダミージョイントブロックの電線収容空間に異物が入り込むことを防ぐことができる。
【００１９】
さらに、電気部品を挿着する予定のない前記部品挿着部を備えた前記ジョイントブロックを、上述した遮閉部を備えたダミージョイントブロックに取り換えておくことで、作業者は、電気部品を部品挿着部に挿着する際に、部品搭載エリアにおいて、電気部品を挿着すべき部品挿着部を一目で特定することができ、電気部品の部品搭載エリアへの搭載作業をスムーズ、且つ正確に行うことができる。
【００２０】
また、ジョイント挿着許容空間は、ジョイントブロックとダミージョイントブロックとのうちいずれのブロックも挿着可能であるため、ジョイント挿着許容空間に対してジョイントブロックとダミージョイントブロックのうちいずれの側を挿着するかに応じて、ジョイントブロックに対して電気部品を取り付ける取り付け態様や、ダミージョイントブロックに対して電線を収容する態様の自由度が増し、車両における様々な電気機器の実装態様に応じて柔軟に対応した構成を構築することができる。
【００２１】
なお、前記部品搭載エリアの表面は、平坦な表面に限らず、凹凸形状を有した表面であるなど、前記部品挿着部を備えた構成であれば特に限定しない。
【００２２】
またこの発明の態様として、前記ダミージョイントブロックに、前記電線収容空間を複数の空間に区分けする仕切り壁を形成することができる。
【００２３】
前記電線収容空間を複数の空間に区分けすることで、電線の特性に応じて区分けして収容することができる。これにより、例えば、アース線と非アース線となど電位差のある電線同士が不用意に接触することがないため、電気的な安定性を確保することができる。さらに、電線を収容した状態において電線同士が絡まり合ったりせず、整理した状態で収容することができる。
【００２４】
ここで前記電線の特性とは、電線の外径（太さ）などの外形、本数、又は、その電線がアース線か否か、或いは、定格電圧、定格電流などの電気的な特性を示す。
【００２５】
またこの発明の態様として、前記電線収容空間を仕切り壁で区分けした複数の区分け空間のうち所定の区分け空間を、アース電線を収容するアース線収容空間として構成することができる。
【００２６】
上述した構成によれば、アース線とそれ以外の電線とに区分けして収容することができ、アース線とそれ以外の電線とが互いに混在することがないため、電気的な安定性を確保することができる。
【００２７】
またこの発明の態様として、前記ダミージョイントブロックに、前記電線収容空間に収容した電線をガイドする電線ガイド棒を備え、前記電線ガイド棒を、前記ダミージョイントブロック厚み方向の前記部品搭載エリアの側に対して反対側から突出して形成することができる。
【００２８】
上述した構成によれば、前記電線収容空間に収容した電線における該電線収容空間から外側へ配索した配索部分を、前記電線ガイド棒によってしっかりとガイドした状態で配索することができる。
【００２９】
またこの発明の態様として、前記電線ガイド棒に電線を固定する電線ガイド棒固定手段を備えることができる。
【００３０】
このように前記電線ガイド棒固定手段を備えることにより、前記電線収容空間に収容した電線を前記電線ガイド棒に対してしっかりとガイドした状態で固定することができ、複数の電線からなるワイヤハーネスであっても、電線ガイド棒に沿ってしっかりとガイドすることができる。
【００３１】
ここで、前記電線ガイド棒固定手段とは、例えば、面ファスナ、紐、テープ、結束バンド（インシュロック）、針金、その他の帯状部材など、電線を前記電線ガイド棒に固定できる部材であれば特に限定しない。
【００３２】
またこの発明の態様として、前記電線ガイド棒を、前記アース電線の導体と電気的に接続する金属材料で形成したアース棒とすることができる。
【００３３】
上述したアース線収容空間に収容したアース電線（グランド線）における、該アース線収容空間から外側へ配索した配索部分を、アース棒に電気的に接触させることにより、アース電線のアースを確実にとることができる。  
なお、アース電線はアース線収容空間の近傍に備えることが好ましい。
【００３４】
またこの発明の態様として、電線収容空間に収容した前記電線を前記ダミージョイントブロックに取り付ける電線取付け手段を備えることができる。
【００３５】
上述した構成によれば、電線収容空間に収容した電線が不用意に電線収容空間から抜け出さないように電線収容空間に収容した電線を電線取付け手段により、電線収容空間に収容した状態の電線をしっかりと前記ダミージョイントブロックに取り付けることができる。
【００３６】
前記電線取付け手段とは、例えば、前記電線収容空間の壁面と一体に形成した係合部材、或いは、ビスなどで固定する手段、さらには、これらを組み合わせたものなど、電線を電線収容空間の壁面に取り付け可能な構成であれば特に限定しない。  
なお、前記電線取り付け手段は、着脱自在なタイプで形成するに限らず、取り外しが不可能ないわゆる嵌め殺し式のタイプで形成してもよい。
【００３７】
またこの発明の態様として、導体を絶縁被覆で被覆してなる複数の電線の先端側の絶縁被覆を剥離して露出させた導体露出部を束ねた集中ジョイント部を構成し、前記集中ジョイント部に被冠装着するボンダキャップ（電線束キャップ）を備え、前記電線収容空間を、ボンダキャップを被冠装着した集中ジョイント部を収容可能な大きさで構成することができる。
【００３８】
上述した構成によれば、集中ジョイント部をボンダキャップごとしっかりと前記電線収容空間に収容することができるため、ボンダキャップで被冠装着した集中ジョイント部が邪魔になることない。
【００３９】
また、集中ジョイント部をボンダキャップで被冠装着することで、集中ジョイント部を構成する導体露出部の一体性を保つことができるため、前記電線収容空間に挿入する際に前記ダミージョイントブロックに接触するなどして集中ジョイント部を構成する導体露出部が分散してばらけることなくスムーズに前記電線収容空間に収容することができる。
【００４０】
なお、集中ジョイント部は、ボンダキャップを被冠装着しない状態で前記電線収容空間に直接、収容してもよい。
【００４１】
その場合には、前記ダミージョイントブロック自体が前記電線収容空間に収容した集中ジョイント部をしっかりと保護できるため、前記ダミージョイントブロックをボンダキャップとしても作用させることができる。
【発明の効果】
【００４２】
この発明によれば、部品搭載エリア上に配設された、電気部品を挿着する複数の部品挿着部のうち、電気部品を挿着しない未使用の部品挿着部が生じた場合であっても、そのスペースを有効に活用することができる電気接続ユニットを提供することができる。
【図面の簡単な説明】
【００４３】
【図１】電気接続箱の分解斜視図。
【図２】電気接続箱の構成部品の分解斜視図。
【図３】部品搭載エリアの斜視図。
【図４】電線を収容した状態のダミージョイントブロックの斜視図。
【図５】ダミージョイントブロックの構成説明図。
【図６】部品搭載ジョイントブロックの縦端面図。
【図７】ダミージョイントブロックに電線を収容する様子を説明する説明図。
【図８】第２実施形態のダミージョイントブロックを説明する端面図。
【図９】第３実施形態のダミージョイントブロックを説明する端面図。
【図１０】第４実施形態のダミージョイントブロックを説明する説明図。
【発明を実施するための形態】
【００４４】
この発明の一実施形態を、以下図面を用いて説明する。  
本実施形態における電気接続箱１は、車両に搭載され、オーディオやエアコンなどの末端装置に対して、車載バッテリ電源から電力を各末端装置へ遮断可能に供給する箱型ユニットであり、図１乃至図６に示すように、電気接続箱本体６００と、電気接続箱本体６００に収容する電気接続箱収容体３００とで構成し、いずれも合成樹脂材料を用いて成形している。  
電気接続箱本体６００は、上面が開口した略直方体の箱形形状に形成した箱容器４００と、該箱容器４００の開口部を閉塞する蓋５００（アッパーカバー）とで構成している。
【００４５】
なお、箱容器４００における電気接続箱収容体３００の下方には、箱容器４００に後述する電気接続箱収容体３００を装着した状態において、箱容器４００に配索する電線を収容可能な箱容器電線収容スペースＳを備えている（図１参照）。箱容器電線収容スペースＳに配索された電線は、例えば、電気接続箱収容体３００に搭載する電気部品Ｄと接続される。
【００４６】
電気接続箱収容体３００は、箱容器４００に嵌め込んで装着するベースフレーム１００と、該ベースフレーム１００に挿着する複数のジョイントブロック２００とで構成し、ジョイントブロック２００を挿着した状態において、ベースフレーム１００の上面には、リレーＤＲやヒューズＤＨなどの適宜の電気部品Ｄを挿着して搭載する図３に示すような部品搭載エリア３００Ｆを面状に構成している。
【００４７】
図１は電気接続箱１に搭載する電気部品Ｄ、及び電気接続箱１を構成する電気接続箱本体６００、及び電気接続箱収容体３００の分解斜視図を示している。なお、図１中の電気接続箱本体６００は仮想線で示している。  
図２は、電気接続箱収容体３００を斜め上方から視た斜視図である。図３はベースフレーム１００にジョイントブロック２００を挿着した状態の部品搭載エリア３００Ｆを上方から視た部品搭載エリア３００Ｆの概念図である。図４は後述するキャップ付き集中ジョイント部７３０Ａを収容した状態のダミージョイントブロック２００Ｄの斜視図であり、図５（ａ）は図４に示すダミージョイントブロック２００Ｄの上下方向（厚み方向）に対する直交断面図であり、図５（ｂ）はジョイント挿着許容空間１００ｚに挿着した状態のダミージョイントブロック２００Ｄの図３におけるＡ−Ａ線端面図である。図６は、ジョイント挿着許容空間１００ｚに挿着した状態の部品搭載ジョイントブロック２００Ｐの図５（ｂ）に相当する端面図であり、図３におけるＢ−Ｂ線端面図である。図７はダミージョイントブロック２００Ｄにキャップ付き集中ジョイント部７３０Ａを収容する直前の様子を示す斜視図である。
【００４８】
なお、キャップ付き集中ジョイント部７３０Ａを電線収容空間２００ｚに収容した状態で電線７００におけるダミージョイントブロック２００Ｄから下方に配索される配索部分は、箱容器４００の底面に干渉しないように適宜、図１に示す箱容器電線収容スペースＳにおいて配索方向を曲げて配索しているが、図４、図５（ｂ）、図８（ｂ）、図９（ｂ）、及び図１０（ｂ）においては簡略のため、ダミージョイントブロック２００Ｄから下方へ直線状に配索した状態で図示している。
【００４９】
また、以下の説明において、図１に示すように、電気接続箱１の平面視長手方向をＹ方向に設定するとともに、平面視短手方向をＸ方向に設定する。さらに、部品搭載エリア３００Ｆに直交する直交方向、すなわち、図５（ｂ）中の上下方向をＺ方向に設定する。
【００５０】
ベースフレーム１００は、図１、及び図２に示すように、ジョイントブロック２００の挿着を許容する複数のジョイント挿着許容空間１００ｚを長手方向、及び短手方向に沿って配設し、それぞれのジョイント挿着許容空間１００ｚは、ベースフレーム１００を上下方向に連通（貫通）するように形成している。
【００５１】
換言すると、ベースフレーム１００は、図１、及び図２に示すように、平面視略長方形状となる所定高さの外壁１１０と、該外壁１１０の内側を複数のジョイント挿着許容空間１００ｚごとに格子状に仕切る挿着許容フレーム１２０とで構成している。
【００５２】
すなわち、挿着許容フレーム１２０は、図１〜図３、及び図５（ｂ）に示すように、外壁１１０の内側において、複数のジョイント挿着許容空間１００ｚを構成する格子状のフレームであり、挿着許容フレーム１２０におけるジョイント挿着許容空間１００ｚを構成する内周面は、上下方向に直交する直交断面において、ジョイントブロック２００の前記直交断面の外周形状と略同じ形状に構成している。
【００５３】
換言すると、挿着許容フレーム１２０におけるジョイント挿着許容空間１００ｚを構成する内周面は、ジョイント挿着許容空間１００ｚに、略立体形状で構成したジョイントブロック２００を挿着した状態において、該ジョイントブロック２００の各側面に略対向する略四角形状の内壁面で形成している。
【００５４】
ジョイントブロック２００は、ベースフレーム１００に配設したジョイント挿着許容空間１００ｚの数に対応する数を少なくとも備えている。さらに、ジョイントブロック２００は、ベースフレーム１００において上下方向に貫通するジョイント挿着許容空間１００ｚに対して、上下方向のうち、電気部品Ｄを部品搭載エリア３００Ｆに挿着する方向と反対方向、すなわち、ベースフレーム１００の下側から上方向（Ｚｕ）の一方向のみからの挿着を許容する（図５（ｂ）参照）。
【００５５】
挿着許容フレーム１２０におけるジョイント挿着許容空間１００ｚを構成する内周面における所定の内面と、ジョイントブロック２００における、挿着許容フレーム１２０の外周面における前記所定の内面と対向する外面には、ジョイントブロック２００をジョイント挿着許容空間１００ｚに挿入した状態で挿入方向と反対方向（Ｚｄ）へ抜けないように互いに係合する係合手段３００を形成している（図５（ｂ）参照）。
【００５６】
係合手段３００は、挿着許容フレーム１２０におけるジョイントブロック２００との対向箇所に形成したフレーム側係合突片３１１と、ジョイントブロック２００における、フレーム側係合突片３１１との対向箇所に形成したジョイント側係合突片３１２とで構成している。
【００５７】
なお、本実施形態の説明においてジョイントブロック２００をジョイント挿着許容空間１００ｚに挿着したとは、係合手段３００が互いに係合するまでジョイントブロック２００をジョイント挿着許容空間１００ｚに挿入した状態を示すものとする。
【００５８】
ジョイントブロック２００は、図１、及び図２に示すように、例えば、リレーＤＲやヒューズＤＨなどの電気部品Ｄを搭載可能な部品搭載ジョイントブロック２００Ｐと、ダミージョイントブロック２００Ｄとの２種類に大別することができる。部品搭載ジョイントブロック２００Ｐとダミージョイントブロック２００Ｄとは、それぞれ複数備えている。
【００５９】
さらに、部品搭載ジョイントブロック２００Ｐは、図２中の符号２００Ｐａ，２００Ｐｂに示すように、電気部品Ｄ（ＤＲ、ＤＨ）の種類や規格等に応じて異なる形態で構成したものを複数パターン備えている。  
部品搭載ジョイントブロック２００Ｐは、図３、及び図６に示すように、ジョイント挿着許容空間１００ｚに挿着した状態において、該部品搭載ジョイントブロック２００Ｐの上面が部品搭載エリア３００Ｆに露出し、この露出部分である部品搭載ジョイントブロック２００Ｐの上面には、電気部品ＤとしてのリレーＤＲを搭載して電気的な接続を許容する２つの部品挿着部２５０（２５０ａ，２５０ｂ）を配設している。
【００６０】
具体的には、それぞれの部品挿着部２５０は、図３に示すように、リレー本体ＤＲ１から突出する４本のリード脚ＤＲ２のそれぞれに対応させて上方から差し込むようにして挿着可能な４つの孔形状を形成している。
【００６１】
さらに、部品搭載ジョイントブロック２００Ｐの内部には、図６に示すように、部品挿着部２５０に挿着したリレーＤＲのリード脚ＤＲ２と電気的に接続する図示しないバスバーを収容可能なバスバー収容孔２６０を備えている。  
なお、部品搭載ジョイントブロック２００Ｐは、該部品搭載ジョイントブロック２００Ｐの内部において、部品挿着部２５０とバスバー収容孔２６０とを上下方向に沿って連設するように形成することで、上下方向に貫通する。
【００６２】
これにより、部品搭載ジョイントブロック２００Ｐは、該部品搭載ジョイントブロック２００Ｐの上側から接続される電気部品Ｄと、下側から接続される接続相手側とを電気的に接続するいわゆるジョイントコネクタとして構成している。
【００６３】
一方、ダミージョイントブロック２００Ｄは、図１、及び図２に示すように、複数タイプ備えた部品搭載ジョイントブロック２００Ｐに対応させて、それぞれのタイプごとの部品搭載ジョイントブロック２００Ｐと類似の外観形態となるように構成したものを複数パターン備えている。
【００６４】
具体的には、ダミージョイントブロック２００Ｄは、図１、及び図２に示すように、立体形状の部品搭載ジョイントブロック２００Ｐの側面を構成する外周形状、すなわち、上下方向に対して直交する直交断面形状が部品搭載ジョイントブロック２００Ｐのそれと同じ形状になるように形成している。
【００６５】
すなわち、ダミージョイントブロック２００Ｄは、複数パターン備えた部品搭載ジョイントブロック２００Ｐａ，２００Ｐｂに対応させて、図２中の符号２００Ｄａ，２００Ｄｂに示すように複数パターン備えている。  
【００６６】
ジョイント挿着許容空間１００ｚは、図５（ｂ）、及び図６に示すように、部品搭載ジョイントブロック２００Ｐと、ダミージョイントブロック２００Ｄとのうちいずれの挿着も許容する。さらに、図３に示すように、部品搭載ジョイントブロック２００Ｐとダミージョイントブロック２００Ｄとのいずれにおいても、ジョイント挿着許容空間１００ｚに挿着した状態において、これらジョイントブロック２００の上面が部品搭載エリア３００Ｆに露出して該部品搭載エリア３００Ｆの一部を構成する。
【００６７】
ダミージョイントブロック２００Ｄは、上述したように部品搭載ジョイントブロック２００Ｐと類似した外観形態であるが、部品挿着部２５０やバスバー収容孔２６０を形成していない点で部品搭載ジョイントブロック２００Ｐとは異なる形態で構成している。
【００６８】
具体的には、図５（ａ）、（ｂ）に示すように、ダミージョイントブロック２００Ｄの内部には、図示しない幹線であるワイヤハーネスから分岐した電線７００束の末端に有するキャップ付き集中ジョイント部７３０Ａを収容する電線収容空間２００ｚを構成している。  
キャップ付き集中ジョイント部７３０Ａは、複数の電線７００の末端の被覆７２０を除去して導体７１０を露出させた複数の導体末端を束ねて相互に接続した集中ジョイント部７３０（ボンダ部）をボンダキャップ７４０で覆うようにして装着した構成である。
【００６９】
集中ジョイント部７３０において、複数の電線７００は、導体末端同士を抵抗溶接する、ろう付けする、超音波接続する、或いは金属スリーブに挿入してかしめるなどして複数の導体間において電気的に導通するように接続している。
【００７０】
ボンダキャップ７４０は、集中ジョイント部７３０を挿入可能な径を有して一端が閉塞され他端が開口された有底筒状に形成し、集中ジョイント部７３０に被冠装着した状態で例えば、図７に示すように、テープ７４１等により巻き付けるなどして集中ジョイント部７３０に対して固定することで一体化している。
【００７１】
電線収容空間２００ｚは、部品搭載ジョイントブロック２００Ｐにおける、例えば、部品挿着部２５０やバスバー収容孔２６０の孔形状に対応させずに、これらとは異なる形状で形成している。  
電線収容空間２００ｚは、図５に示すように、ベースフレーム１００の上下方向における前記部品搭載エリア３００Ｆの側に対して反対側、すなわち、ベースフレーム１００の下側から電線７００を挿入可能に、下方に向けて開口した電線挿入開口部２００Ａを有している。
【００７２】
一方、ダミージョイントブロック２００Ｄにおける部品搭載エリア３００Ｆの側に相当する箇所、すなわち、電線収容空間２００ｚに挿着した状態で部品搭載エリア３００Ｆに露出する平坦な上面は、部品搭載ジョイントブロック２００Ｐの上面に配設したような部品挿着部２５０を形成せずに、電気部品Ｄを外部から前記電線収容空間２００ｚへ通過不能に遮閉する遮閉部２２０を形成している（図３、図４、及び図５（ｂ）参照）。
【００７３】
特に、本実施形態の遮閉部２２０は、部品搭載エリア３００Ｆに対して上方の空間と下方の電線収容空間２００ｚを連通する連通孔を形成せずに完全に閉塞するよう遮閉して形成している。
【００７４】
さらに、電線収容空間２００ｚは、図５（ａ）、（ｂ）に示すように、仕切り壁２３０によって複数の空間に区分けして構成している。本実施形態においては、電線収容空間２００ｚを仕切り壁２３０によって仕切ることで、例えば、第１区分け空間２００ｚ１、第２区分け空間２００ｚ２、第３区分け空間２００ｚ３からなる３つの区分け空間に区分けして形成している。
【００７５】
なお、３つの区分け空間は、それぞれ大きさが異なり、第１区分け空間２００ｚ１は、図５（ａ）中の右側に示す最も大きな空間であり、第２区分け空間２００ｚ２は、図５（ａ）中の左上側に示す空間であり、第３区分け空間２００ｚ３は、図５（ａ）中の左下側に示す最も小さな空間である。
【００７６】
また、図５（ａ）、（ｂ）に示すように、ダミージョイントブロック２００Ｄにおける電線収容空間２００ｚを構成する内壁面には、該電線収容空間２００ｚに挿入したキャップ付き集中ジョイント部７３０Ａのボンダキャップ７４０に係合する電線係合突片２４０を形成している。
【００７７】
電線係合突片２４０は、電線収容空間２００ｚにキャップ付き集中ジョイント部７３０Ａを挿入した際に、該キャップ付き集中ジョイント部７３０Ａにおけるボンダキャップ７４０の基端部７４０ａに係合する。これにより、キャップ付き集中ジョイント部７３０Ａは電線収容空間２００ｚから抜け落ちないように収容した状態に挿着される（図５（ｂ）参照）。
【００７８】
ダミージョイントブロック２００Ｄは、電線収容空間２００ｚを仕切り壁２３０で区分けした３つの区分け空間２００ｚのうち第３区分け空間２００ｚ３を、アース電線７００Ｇを収容するアース線収容空間２００ｚ３として構成している（図５（ａ）参照）。
【００７９】
さらに、図４、及び図５（ｂ）に示すように、ダミージョイントブロック２００Ｄにおけるアース線収容空間２００ｚ３を構成する壁面部のうちアース線収容空間２００ｚ３の近傍に位置する隅角部に、該隅角部から下方へ突出する電線ガイド棒２１２としての絶縁ガイド棒２１２Ｂを備えている。
【００８０】
絶縁ガイド棒２１２Ｂは、合成樹脂等の絶縁材料で直線状に形成するとともに、電線７００をガイド可能な剛性を有して該絶縁ガイド棒２１２Ｂの長手方向、すなわち、上下方向に対する直交断面が円形状であるいわゆる丸棒で形成している。絶縁ガイド棒２１２Ｂは、電線収容空間２００ｚに収容した電線７００における電線挿入開口部２００Ａから外部に配索される配索部分をガイド可能に前記ダミージョイントブロック２００Ｄから下方へ延設している。
【００８１】
なお、絶縁ガイド棒２１２Ｂは、電気接続箱収容体３００を箱容器４００に嵌め込み収容した状態において、電気接続箱収容体３００よりも下方に有する上述した図示しない箱容器電線収容スペースＳに収まるように突出する長さで形成している。
【００８２】
続いて、キャップ付き集中ジョイント部７３０Ａを電線収容空間２００ｚに収容する手順について説明する。  
まず、ワイヤハーネスから分岐した複数の電線７００を、該電線７００がアース線７００Ｇであるか否か、電線の太さ、定格電流など電線の特性に応じて分類し、分類した特性ごとにテープ２９０などで束ねておく。
【００８３】
そして、複数の電線７００のそれぞれの末端において露出する導体７１０を、ボンダキャップ７４０で覆い、キャップ付き集中ジョイント部７３０Ａを作成しておく。
【００８４】
このような複数のキャップ付き集中ジョイント部７３０Ａを、第１区分け空間２００ｚ１、第２区分け空間２００ｚ２、アース線収容空間２００ｚ３のそれぞれの電線収容空間２００ｚに電線挿入開口部２００Ａを通じて図７に示すように挿入する。  
このとき、特に、図５（ａ）、（ｂ）に示すように、アース線収容空間２００ｚ３（第３区分け空間２００ｚ３）には、アース線７００Ｇのキャップ付き集中ジョイント部７３０Ａを挿入する。
【００８５】
そして、それぞれの電線収容空間２００ｚにおいて、ボンダキャップ７４０の基端部７１０ａを電線係合突片２４０に係合することでキャップ付き集中ジョイント部７３０Ａを分類した特性ごとに区分けした状態で収容できる（図５（ａ）、（ｂ）参照）。
【００８６】
さらに、アース線収容空間２００ｚ３から外側に配索されるアース線７００Ｇは、絶縁ガイド棒２１２Ｂとともにテープ２９０で巻き付けて該絶縁ガイド棒２１２Ｂにガイドさせながら配索することで他の電線と混在しないように配索している（図５（ｂ）参照）。
【００８７】
上述した構成の電気接続箱１が奏する作用、効果について、図７乃至図１０を用いて説明する。  
部品搭載ジョイントブロック２００Ｐをジョイント挿着許容空間１００ｚに挿着した状態においては、部品搭載エリア３００Ｆにジョイントブロック２００における部品挿着部２５０が配置されるように挿着される（図３参照）。
【００８８】
一方、ダミージョイントブロック２００Ｄをジョイント挿着許容空間１００ｚに挿着した状態においては、部品搭載エリア３００Ｆにダミージョイントブロック２００Ｄにおける遮閉部２２０が配置されるように挿着される（図３参照）。
【００８９】
これにより、部品搭載エリア３００Ｆにおける遮閉部２２０においては、電気部品Ｄが部品挿着部２５０を通じてダミージョイントブロック２００Ｄの電線収容空間２００ｚに入り込むことや、電線収容空間２００ｚを通過してベースフレーム１００の部品搭載エリア３００Ｆに対して反対側、すなわち、Ｚｄ方向へ落下することを防ぐことができる。
【００９０】
さらに、部品搭載エリア３００Ｆにおいて電気部品Ｄを挿着していない部品挿着部２５０を備えた部品搭載ジョイントブロック２００Ｐをジョイント挿着許容空間１００ｚに挿着したままの場合には、部品挿着部２５０にごみなどの異物が侵入したり、本来、挿着すべきではない部品挿着部２５０へ電気部品Ｄを誤挿入するおそれが生じる。
【００９１】
これに対して、電気部品Ｄを挿着する予定のない部品挿着部２５０を備えたジョイントブロック２００をダミージョイントブロック２００Ｄに取り換えておくことで、そのジョイント挿着許容空間１００ｚに対応する箇所を、遮閉部２２０で遮閉しておくことができる。
【００９２】
これにより、電気部品Ｄを挿着することのない部品挿着部２５０からごみなどの異物が侵入することや、電気部品Ｄの誤挿入を防止することができる。さらに、作業者が電気部品Ｄを部品挿着部２５０に挿着する際に、部品搭載エリア３００Ｆにおいて、挿着することのない部品挿着部２５０を遮閉部２２０に置き換えることができるため、挿着すべき部品挿着部２５０を一目で特定することができ、電気部品Ｄの部品搭載エリア３００Ｆへの搭載作業をスムーズ、且つ正確に行うことができる。
【００９３】
また、図５（ａ）、（ｂ）に示すように、ジョイントブロック２００の外周形状と同形状に形成したダミージョイントブロック２００Ｄの内部に、上下方向の部品搭載エリア３００Ｆと反対側（Ｚｕ）から挿入した電線７００を収容可能な電線収容空間２００ｚを構成したため、電気部品Ｄが挿入されることのないスペースを、ダミージョイントブロック２００Ｄを取り付けることにより有効活用することができる。
【００９４】
具体的には、電気自動車やハイブリット自動車の普及や、電気機器回路の複雑化、高密度化に伴って、車両に配索されるワイヤハーネスを構成する電線７００の本数が増加するとともに、大径化しつつある中で、本実施形態のダミージョイントブロック２００Ｄは、ベースフレーム１００の上下方向において部品搭載エリア３００Ｆの有する側と反対側（Ｚｕ）から電線７００の例えば末端部を電線収容空間２００ｚに挿入して収容しておくことで、幹線であるワイヤハーネスから分岐した電線７００の末端部が嵩張ることなく、ワイヤハーネスを、上述した近年の電線７００の本数の増加、及び大径化に対応させて配索できる。
【００９５】
さらに、ワイヤハーネスから分岐した電線７００の末端部を電線収容空間２００ｚに収容しておくことで、電線７００の末端部が他の電線の末端部や電気機器に意に反して接触するなどして短絡するなどの事態を回避し、電気的安定性を確保した状態でワイヤハーネスを配索することができる。
【００９６】
また、部品搭載ジョイントブロック２００Ｐとダミージョイントブロック２００Ｄとは、いずれもジョイント挿着許容空間１００ｚに挿着可能であるため、部品搭載エリア３００Ｆに複数設けられたジョイント挿着許容空間１００ｚのそれぞれに対して部品搭載ジョイントブロック２００Ｐとダミージョイントブロック２００Ｄのうち、いずれの側を挿着するかに応じて、部品搭載ジョイントブロック２００Ｐに対して電気部品Ｄを取り付ける取り付け態様や、ダミージョイントブロック２００Ｄに対して電線を収容する態様の自由度が増し、車両における様々な電気機器の実装態様に応じて柔軟に対応した構成を構築することができる。
【００９７】
また、図５（ａ）、（ｂ）に示すように、ダミージョイントブロック２００Ｄの内部に構成した電線収容空間２００ｚは、ジョイントブロック２００に備えた部品挿着部２５０の孔形状に対応させて形成せずに、電線７００を収容可能に部品挿着部２５０よりも大きな内部空間で形成しているため、電線７００を確実、且つ容易に収容することができ、ダミージョイントブロック２００Ｄの配置スペースを有効活用することができる。
【００９８】
また、ダミージョイントブロック２００Ｄに、電線収容空間２００ｚを複数の区分け空間２００に区分けする仕切り壁２３０を形成することで、電線を特性に応じて区分け空間ごとに区分けして収容することができる。これにより、例えば、電線７００をアース線７００Ｇと非アース線とに区分けした場合は、これら電線をアース線７００Ｇと非アース線など電位差のある電線同士が不用意に接触することがないため、電気的な安定性を確保することができる。  
さらに、電線７００を収容した状態において線同士が絡まり合ったりせず、整理した状態で収容することができる。
【００９９】
また、上述したように、本実施形態においては、電線収容空間２００ｚを仕切り壁２３０で区分けした複数の区分け空間のうち例えば、第３区分け空間２００ｚ３を、アース電線７００Ｇを収容するアース線収容空間２００ｚ３として構成し、ダミージョイントブロック２００Ｄにおけるアース線収容空間２００ｚ３の近傍にダミージョイントブロック２００Ｄの開口方向へ延設した絶縁ガイド棒２１２Ｂを備えた構成としている。
【０１００】
このため、アース線収容空間２００ｚ３に電線末端を収容したアース電線７００Ｇがアース電線７００Ｇ以外の電線と混在することがなく、アース電線７００Ｇ以外の電線と区別して配索することができる。
【０１０１】
また上述したように、電線収容空間２００ｚに収容した電線の末端に有するキャップ付き集中ジョイント部７３０Ａの端部に係合する電線係合突片２４０をダミージョイントブロック２００Ｄに備えることで、電線収容空間２００ｚに収容した電線７００が意に反して電線収容空間２００ｚから抜け出さないように電線収容空間２００ｚに収容した状態でしっかりとダミージョイントブロック２００Ｄに取り付けることができる。
【０１０２】
また、上述したように、本実施形態では、導体７１０を絶縁被覆７２０で被覆してなる複数の電線７００の先端側の絶縁被覆７２０を剥離して露出させた電線末端の導体露出部を束ねた集中ジョイント部７３０を構成し、集中ジョイント部７３０に被冠装着するボンダキャップ７４０備え、電線収容空間２００ｚを、ボンダキャップ７４０を被冠装着した集中ジョイント部７３０を収容可能な大きさで構成している。
【０１０３】
上述した構成によれば、集中ジョイント部７３０をボンダキャップ７４０ごとしっかりと電線収容空間２００ｚに収容することができるため、ボンダキャップ７４０を被冠装着した集中ジョイント部７３０が邪魔になることない。
【０１０４】
以下では、他の実施形態におけるダミージョイント２００Ｄｓ，２００Ｄｔ，２００Ｄｕについて説明する。
【０１０５】
但し、以下で説明するダミージョイントブロック２００Ｄｓ，２００Ｄｔ，２００Ｄｕの構成のうち、上述した第１実施形態におけるダミージョイントブロック２００Ｄと同様の構成については、同一の符号を付して、その説明を省略する。
【０１０６】
（第２実施形態）
第２実施形態のダミージョイントブロック２００Ｄｓは、電線ガイド棒２１２として、図８（ａ）、（ｂ）に示すように、上述した絶縁材料で形成した絶縁ガイド棒２１２Ｂとは別に、導電材料で形成したアース棒２１２Ｇを備えている。
【０１０７】
なお、図８（ａ）は第２実施形態のダミージョイントブロック２００Ｄｓを図５（ａ）に相当する端面で示した断面図である。図８（ｂ）は第２実施形態のダミージョイントブロック２００Ｄｓを図５（ｂ）に相当する端面で示した端面図である。
【０１０８】
絶縁ガイド棒２１２Ｂは、ダミージョイントブロック２００Ｄｓの隅角部のうち第２区分け空間２００ｚ２の近傍の隅角部から下方へ延設するように配置している。
【０１０９】
アース棒２１２は、ダミージョイントブロック２００Ｄｓの隅角部のうちアース線収容空間２００ｚ３の近傍に位置する隅角部から下方へ延設するように配置している。
【０１１０】
さらに、図８（ｂ）中の領域Ｘ２部拡大部分に示すように、アース棒２１２Ｇの先端部分（下部）には、電線７００の被覆７２０を貫通して導体７１０まで突き刺し可能に突出した導体突き刺し針２１３を形成している。  
アース棒２１２Ｇは、絶縁ガイド棒２１２Ｂと同じ形状で形成している。なお、アース棒２１２Ｇは、アースを確実にとるために図示しない他のアース用の線に接続してもよい。
【０１１１】
上述した構成によれば、アース線７００Ｇではない電線７００のキャップ付き集中ジョイント部７３０Ａを第２区分け空間２００ｚ２に収容し、第２区分け空間２００ｚ２から下方へ配索される電線７００を束ねて絶縁ガイド棒２１２Ｂに沿わせた状態でテープ２９０により固定している。
【０１１２】
さらに、アース線７００Ｇについては、アース棒２１２Ｇに沿わせた状態でテープ２９０により固定している。また、その際、アース棒２１２Ｇにおける導体突き刺し針２１３をアース線７００Ｇに突き刺すことで、アース線７００Ｇのアースを確実にとることができる。
【０１１３】
以上により、アース線７００Ｇとそれ以外の電線７００など所定の基準に応じて区分けした複数の電線７００がより混在しないように分別して配索することができる。  
上述した電線ガイド棒２１２は、ダミージョイントブロック２００Ｄｓにおける上述した箇所に備えるに限らず、他の箇所に備えてもよく、また、ダミージョイントブロック２００Ｄｓに３本以上の複数本を備えてもよい。
【０１１４】
さらにまた、ダミージョイントブロック２００Ｄに備える全ての電線ガイド棒２１２を、絶縁ガイド棒２１２Ｂとしてもよく、或いはアース棒２１２Ｇとしてもよい。
【０１１５】
（第３実施形態）
第３実施形態のダミージョイントブロック２００Ｄｔは、図９（ａ）、（ｂ）に示すように、集中ジョイント部７３０にボンダキャップ７４０を被冠装着しないまま電線収容空間２００ｚに挿着可能に形成している。  
なお、図９（ａ）は第３実施形態のダミージョイントブロック２００Ｄｔを図５（ａ）に相当する端面で示した端面図である。図９（ｂ）は第３実施形態のダミージョイントブロック２００Ｄｔを図５（ｂ）に相当する端面で示した端面図である。
【０１１６】
第３実施形態のダミージョイントブロック２００Ｄｔは、集中ジョイント部７３０にボンダキャップ７４０を被冠装着しないまま電線収容空間２００ｚに挿入した電線７００の束を係合する電線係合突片２４０を備えている（図９（ｂ）参照）。
【０１１７】
電線係合突片２４０は、挿着許容フレーム１２０における電線収容空間２００ｚを構成する内壁面において、キャップ付き集中ジョイント部７３０Ａのボンダキャップ７４０に係合可能な位置に形成せずに、例えば、第１区分け空間２００ｚ１、第２区分け空間２００ｚ２、及び第３区分け空間２００ｚ３のそれぞれの電線挿入開口部２００Ａの縁部に電線７００の被覆７２０に係合可能に突状に形成している。
【０１１８】
上述した構成によれば、集中ジョイント部７３０にボンダキャップ７４０を装着していない複数の電線７００をそれぞれに対応する電線収容空間２００ｚに挿入した状態で収容する。  
このように、絶縁性を有するボンダキャップ７４０に収容することで、集中ジョイント部７３０の電気的安定性を確保することができる。
【０１１９】
このとき、挿着許容フレーム１２０における内壁面に電線７００の被覆７２０が接触する接触部分を電線係合突片２４０により係合することで、電線７００のそれぞれが互いに密着する摩擦力を活かして複数の集中ジョイント部７３０を電線収容空間２００ｚに収容した状態に保つことができる。
【０１２０】
（第４実施形態）
第４実施形態のダミージョイントブロック２００Ｄｕは、上述したダミージョイントブロック２００Ｄ，２００Ｄｓ，２００Ｄｔと同様に、ダミージョイントブロック２００Ｄｕにおける部品搭載エリア３００Ｆに露出する箇所、すなわち、ダミージョイントブロック２００Ｄｕの上面を、上述したように、遮閉部２２０として形成しているが、図１０（ａ）、（ｂ）に示すように、遮閉部２２０には、電線収容空間２００ｚと部品搭載エリア３００Ｆに対して上側の空間とを連通させる複数の連通孔２２０ｈを配設している。  
但し、連通孔２２０ｈは、電気部品Ｄを外部から電線収容空間２００ｚへ通過不能な大きさで形成している。
【０１２１】
なお、図１０（ａ）は第４実施形態のダミージョイントブロック２００Ｄｕの上部のみを示す外観図である。図１０（ｂ）は第４実施形態のダミージョイントブロック２００Ｄｕを図５（ｂ）に相当する端面で示した端面図である。
【０１２２】
上述した構成によれば、連通孔２２０ｈが通気孔として作用し、電線収容空間２００ｚに熱が籠ることを防ぐことができる。また、電線収容空間２００ｚからキャップ付き集中ジョイント部７３０Ａを取り出す際にも図示しない薄板状の治具を連通孔２２０ｈに差し込んでボンダキャップ７４０を下方へ軽く押圧するだけで電線係合突片２４０との係合が解除することができる。  
これにより、電線収容空間２００ｚからキャップ付き集中ジョイント部７３０Ａを下側から引張ることなく抜き取ることができ、電線７００に負荷をかけずに容易に抜き出すことができる。
【０１２３】
なお、遮閉部２２０は、第１実施形態のように完全に閉塞している構成に限らず、電気部品Ｄが部品搭載エリア３００Ｆに対して上方から電線収容空間２００ｚへ通過不能な構成であれば、本実施形態のような連通孔２２０ｈを設けるに限らず、様々な実施形態の連通孔２２０ｈを形成してもよい。
【０１２４】
この発明の電気部品接続ユニットは、この実施形態の電気接続箱１に対応し、以下同様に、ジョイントブロックは部品搭載ジョイントブロック２００Ｐに対応し、  
厚み方向は、上下方向（Ｚ方向）に対応し、  
電線ガイド棒固定手段はテープ２９０、又は導体突き刺し針２１３に対応し、  
電線取付け手段は電線係合突片２４０に対応するも、この発明は、上述した実施形態に限らず、その他にも様々な実施形態で形成することができる。
【０１２５】
例えば、電線収容空間２００ｚを仕切り壁２３０により区分けする数、大きさ、配置などの態様は電線の態様は特に限定せず、区分けした空間に収容する電線収容空間２００ｚを、複数の区分け空間で区分けして構成することで、定格電圧、定格電流、電径、本数、グランド線か否か、分岐元のワイヤハーネスの用途など適宜の基準で区分けした空間ごとに電線を分類して収容することができる。
【０１２６】
具体的には、電線収容空間２００ｚは、仕切り壁２３０で仕切って３つの区分け空間２００に区分けして構成に限らず、その他の数、形状で区分けして構成してもよく、また、仕切り壁２３０で区分けせずに形成してもよい。
【０１２７】
電線７００は、電線収容空間２００ｚに収容した状態で電線係合突片２４０に係合して取り付けるに限らず、例えば、電線ガイド棒２１２に這わせた状態でテープ２９０などの固定手段のみで固定するなど、電線係合突片２４０以外の他の手段で電線７００を収容した状態でダミージョイントブロック２００Ｄに取り付けてもよく、逆に、テープ２９０などの固定手段で固定せずに、電線係合突片２４０に係合して取り付けてもよい。  
さらにまた、電線７００は、電線収容空間２００ｚに単に収容した状態で配置するだけでダミージョイントブロック２００Ｄに全く取り付けなくてもよい。
【０１２８】
さらに、アース棒２１２Ｇや絶縁ガイド棒２１２Ｂなどの電線ガイド棒２１２は、ダミージョイントブロック２００Ｄ，２００Ｄｓ，２００Ｄｔ，２００Ｄｕに対して備える本数、長さ、太さ、形状、配置箇所は上述した実施形態に限定せず、任意の態様で備えることができる。  
例えば、電線ガイド棒２１２は、電線収容空間２００ｚの内部に配置し、電線収容空間２００ｚの内部から下方へ突出してもよく、また、電線ガイド棒２１２は、直線状に限らず、屈曲部や湾曲部を有した適宜の形状で形成してもよい。
【０１２９】
また、部品搭載ジョイントブロック２００Ｐは、リレーＤＲに限らず、他の電気部品Ｄを搭載可能な構成の部品挿着部２５０を備えてもよい。
【０１３０】
電線収容空間２００ｚに収容する電線は、上述したように、ワイヤハーネスから分岐した電線束の末端に有するキャップ付き集中ジョイント部７３０Ａに限らず、コネクタ付きの電線の末端部、或いは、ワイヤハーネス自体や、ワイヤハーネスを構成しない電線、電線において被覆７２０を剥離した導体７１０のみなど、電線７００の一部であれば特に限定しない。
【０１３１】
また、ベースフレーム１００とジョイントブロック２００とは、電気接続箱収容体３００として、電気接続箱本体６００に嵌め込み収容して構成したが、電気接続箱本体６００に嵌め込み収容せずに、例えば、車両のパネルに取り付け可能に構成したベースフレーム１００と、ジョイントブロック２００のみで構成するなど、少なくともベースフレーム１００とジョイントブロック２００とで構成してもよい。
【符号の説明】
【０１３２】
１…電気接続箱
１００…ベースフレーム
１００ｚ…ジョイント挿着許容空間
２００…ジョイントブロック
２００Ｐ…部品搭載ジョイントブロック
２００Ｄ，２００Ｄｓ，２００Ｄｔ，２００Ｄｕ…ダミージョイントブロック
２００ｚ…電線収容空間
２００ｚ１…第１区分け空間
２００ｚ２…第２区分け空間
２００ｚ３…第３区分け空間（アース線収容空間）
２１２…電線ガイド棒
２１２Ｂ…絶縁ガイド棒
２１２Ｇ…アース棒
２２０…遮閉部
２３０…仕切り壁
２４０…電線係合突片
２５０（２５０ａ，２５０ｂ）…部品挿着部
３００Ｆ…部品搭載エリア
７３０…集中ジョイント
７３０Ａ…キャップ付き集中ジョイント部
７４０…ボンダキャップ
Ｄ…電気部品
【図１】
2015204717.tif 000003
【図２】
2015204717.tif 000004
【図３】
2015204717.tif 000005
【図４】
2015204717.tif 000006
【図５】
2015204717.tif 000007
【図６】
2015204717.tif 000008
【図７】
2015204717.tif 000009
【図８】
2015204717.tif 000010
【図９】
2015204717.tif 000011
【図１０】
2015204717.tif 000012